【手続補正書】
【提出日】平成20年9月5日(2008.9.5)
【手続補正１】
【補正対象書類名】明細書
【補正対象項目名】０００４
【補正方法】変更
【補正の内容】
【０００４】
このような目的で用いられる電磁比例制御弁の構成例を図１２に示す。この電磁比例制御弁は、外部ケーシング３５５の内周に円筒状のソレノイド３６０がはまり合うとともに、当該ソレノイド３６０の内周に可動子３７０がはまり合い、さらに、外部ケーシング３５５の開口部分にバレル３８０がはまり合って開口が閉じられている。また、可動子３７０の心棒３７４は、バレル３８０側のガイド部３８３と、他端側のガイド部としてのブッシュ３７８によって支持されるとともに、ガイドされている。また、バレル３８０の孔３２１ｈには、ピストンからなる弁部材３９０が移動可能にはまり合い、弁部材３９０は、コイルばね３９４の付勢力とソレノイド３６０の電磁力とによって移動し、通過する燃料流量の制御が可能となっている。
【手続補正２】
【補正対象書類名】明細書
【補正対象項目名】０００７
【補正方法】変更
【補正の内容】
【０００７】
そこで、本発明の発明者らは鋭意検討した結果、可動子の軸心をケーシングに固定された固定軸とするとともに、可動子側に軸受部材を配置し、可動子を固定軸に摺動保持させることにより、可動子と軸心との芯出し精度を向上させつつ、軸受部材の偏磨耗を低減できることを見出し、本発明を完成させたものである。
すなわち、本発明は、可動子の摺動性を阻害することなく、流体の流量を安定的に制御することができる流量制御用電磁比例制御弁及びそのような電磁比例制御弁を備えた燃料供給用ポンプを提供することを目的とする。
【手続補正３】
【補正対象書類名】明細書
【補正対象項目名】００２４
【補正方法】変更
【補正の内容】
【００２４】
フィードポンプ３は、燃料タンク内の燃料を汲み上げて流量制御弁５に対して移送するための部位である。このフィードポンプ３は、例えば、カムシャフト２３の端部に連結された駆動ギヤと、駆動ギヤと連結された従動ギヤとを含むギヤポンプ構造からなり、カムシャフト２３と直結又は適当なギヤ比を介して駆動されている。このフィードポンプ３が駆動することにより、負圧を利用して、燃料が燃料タンクから吸い上げられ、流量制御弁５に対して移送される。
また、フィードポンプ３とポンプ本体部１０との間には、メインフィルタ（図示せず）が介在し、燃料タンク内の燃料に異物が混入している場合に、それらの異物がポンプ本体部１０内に流れ込まないように、一次的に捕集することができる。
【手続補正４】
【補正対象書類名】明細書
【補正対象項目名】００２７
【補正方法】変更
【補正の内容】
【００２７】
ポンプ本体部１０は、流量制御弁５を介して移送されてくる燃料を高圧化して、下流側のコモンレール等に圧送するための部位である。ポンプ本体部１０は、例えば、ポンプハウジング１１と、ポンプハウジング１１のシリンダ１１ｂ、１１ｃ内に装着されたプランジャバレル１２と、プランジャバレル１２の内部空間に摺動保持されたプランジャ１３と、両端をプランジャバレル１２及びスプリングシート１９に係止され、プランジャ１３を下方側に付勢するためのスプリング１５と、プランジャ１３及びカム２１の間に介在し、カム２１の回転に伴いプランジャ１３を芯出ししつつ押し上げるためのタペット構造体１８とを備えている。また、プランジャバレル１２の内部空間の上方開口部には燃料吸入弁２０が配置されるとともに、プランジャバレル１２の内部空間から横方向に延びる燃料通路（図示せず）を介して、燃料吐出弁（図示せず）が配置されている。
【手続補正５】
【補正対象書類名】明細書
【補正対象項目名】００３０
【補正方法】変更
【補正の内容】
【００３０】
また、ケーシング５５の開口部分には、フランジ部８０ｆを含むシリンダ体からなるバレル８０が嵌め合わせされ、開口を閉じている。すなわち、バレル８０は、ケーシング５５と相俟って、流量制御弁５のハウジングを構成する。このバレル８０のケーシング５５側にはマグネティックコア８１が取り付けられている。マグネティックコア８１の軸方向部分８１ａはソレノイド６０の内周に配置され、可動子７０と適正なクリアランスをもって配設されるとともに、シリンダ部分５２ｂとは可動子７０を介さず直接磁束が透過しない十分なクリアランスをもって配設されている。また、バレル８０のフランジ部８０ｆの外周が磁性材料からなるケース５２と嵌め合わせられ、電磁サーキットを構成している。
図２に示す流量制御弁５では、バレル８０とマグネティックコア８１とが別部材となっているが、磁性材料を用いてこれらを一体化して構成したものであっても構わない。
【手続補正６】
【補正対象書類名】明細書
【補正対象項目名】００３４
【補正方法】変更
【補正の内容】
【００３４】
ここで、可動子が磁力によってソレノイドに接触して、可動子のスムーズな移動が阻害されることがないように、可動子を適切な方向に移動可能にすべく、可動子をガイドする必要がある。ただし、従来のように、ケーシングとバレルとにそれぞれガイド部を設けて可動子をガイドしようとすると、ケーシング及びバレルそれぞれのガイド部の加工精度が要求されるとともに、ケーシングとバレルとを組付ける際の芯出し精度が要求される。したがって、加工精度あるいは組付け精度が低い場合には、可動子及びガイド部に偏荷重がかかり偏磨耗が発生し、可動子のスムーズな摺動性が失われてしまう。そのため、可動子にはできるだけ偏荷重がかからないようにする必要がある。
【手続補正７】
【補正対象書類名】明細書
【補正対象項目名】００３６
【補正方法】変更
【補正の内容】
【００３６】
また、本発明の流量制御弁５では、可動子７０と固定軸４０との芯出し精度、及び可動子７０とソレノイド６０との芯出し精度を高くできることから、可動子７０に配設された軸受部材４２と固定軸４０との間のクリアランスを小さく設計することができるようになる。かかるクリアランスを小さく設定した場合には、周方向に作用する電磁力を低減させることができるため、可動子７０をよりスムーズに軸方向移動させることができる。
さらに、本発明の流量制御弁５では、可動子７０側に軸受部材４２を配置しているために、仮に偏荷重がかかるような状態であっても、固定軸４０に摺動保持された可動子７０の回転位置が変化することに伴い、軸受部材４２の受圧面を変化させることができる。したがって、軸受部材４２の偏磨耗を防ぎ、耐摩耗性を飛躍的に向上させることができる。
【手続補正８】
【補正対象書類名】明細書
【補正対象項目名】００４４
【補正方法】変更
【補正の内容】
【００４４】
このような傾斜部４８Ａを含む燃料通過路４８は、可動子の内部に孔を形成したり、あるいは可動子の周囲を一部変形あるいは変更したりすることにより形成することができる。中でも、図１０（ａ）〜（ｃ）に示すように、磁性材料からなる可動子７０Ｂの外周に、傾斜部４８ａ〜４８ｃを含む燃料通過路４８を形成するとともに、非磁性材料からなるスペーサ部材９１で被覆することにより、内部に孔を形成する場合と比較して、燃料通過路４８の配置の自由度を著しく高めることができる。
【手続補正９】
【補正対象書類名】明細書
【補正対象項目名】００４６
【補正方法】変更
【補正の内容】
【００４６】
コモンレール１１６の構成は特に制限されるものではなく、公知のものを使用することができる。コモンレール１１６には、複数のインジェクタ１２０が接続されており、燃料供給用ポンプ１で高圧化された燃料がすべてのインジェクタ１２０に対して均等に供給され、インジェクタ１２０を制御することにより内燃機関（図示せず）に所望の噴射タイミングで噴射させることができる。このようなコモンレール１１６を備えることにより、ポンプの回転が噴射圧に直接影響を与えることなく、回転数に見合った噴射圧で、インジェクタ１２０を介してエンジンに燃料を噴射することができる。
また、コモンレール１１６には、圧力検知器（図示せず）が接続されており、かかる圧力検知器で得られた圧力検知信号が、電子制御ユニット（ECU: Electronic Controlling Unit）に送られる。そして、ＥＣＵは、圧力検知器からの圧力検知信号を受けつつ、コモンレール圧が所定の圧力となるように、同じくコモンレール１１６に備えられた電磁制御弁（図示せず。）を制御する。
【手続補正１０】
【補正対象書類名】明細書
【補正対象項目名】００４７
【補正方法】変更
【補正の内容】
【００４７】
また、増圧装置としては、図１１に例示されるように、シリンダ７５と、機械式ピストン（増圧ピストン）７９と、受圧室７８と、電磁弁８７とを含み、機械式ピストン７９が、受圧部７２と受圧部７２よりも相対的に面積が小さい加圧部７６とを備えた構成とすることができる。
かかる増圧装置では、シリンダ７５内に収容された機械式ピストン７９が、受圧部７２においてコモンレール圧を有する燃料により押圧されて移動し、加圧部７６の下方側の空間内の燃料が加圧部７６によって増圧される。
【手続補正１１】
【補正対象書類名】明細書
【補正対象項目名】００４９
【補正方法】変更
【補正の内容】
【００４９】
また、インジェクタ１２０の形態は特に制限されるものではないが、例えば、図１１に例示されるように、ニードル弁体１０１が着座する着座面１０２と、この着座面１０２の弁体当接部位よりも下流側に形成される噴孔７３と、を有するノズルボディ１０３を備え、ニードル弁体１０１のリフト時に着座面１０２の上流側から供給される燃料を噴孔７３へ導く構成とすることができる。
また、インジェクタ１２０は、スプリング１０４等によってニードル弁体１０１を着座面１０２に向かって常時付勢しておき、ニードル弁体１０１をソレノイド７１の通電／非通電の切り替えによって開閉する電磁弁型とすることができる。
【手続補正１２】
【補正対象書類名】明細書
【補正対象項目名】００５２
【補正方法】変更
【補正の内容】
【００５２】
【図１】本発明の実施の形態にかかる燃料供給用ポンプの部分切り欠きを含む側面図である。
【図２】本発明の実施の形態にかかる流量制御用電磁比例制御弁の断面図である。
【図３】弁部材のスリットについて説明するために供する図である。
【図４】本実施形態の流量制御用電磁比例制御弁の電流−流量制御特性を示す図である。
【図５】固定軸と可動子との組付け状態を説明するために供する図である。
【図６】固定軸の構成例を示す図である。
【図７】固定軸の別の構成例を示す図である。
【図８】可動子における軸受部材の配置例を示す図である。
【図９】ローテーショナルアーマチャの構成例を示す図である。
【図１０】ローテーショナルアーマチャの別の構成例を示す図である。
【図１１】ピストン増圧方式の蓄圧式燃料噴射システム（ＡＰＣＲＳ）を説明するために供する図である。
【図１２】従来の流量制御弁の構成を説明するために供する図である。
【図１３】従来の回転可能な可動子を説明するために供する図である。
【手続補正１３】
【補正対象書類名】図面
【補正対象項目名】図２
【補正方法】変更
【補正の内容】
【図２】
2007333140.tif 000001
【手続補正１４】
【補正対象書類名】図面
【補正対象項目名】図１１
【補正方法】変更
【補正の内容】
【図１１】
2007333140.tif 000002